(57)【要約】      （修正有）【課題】足はもちろん、車椅子の車輪でも確実にペダルを踏むことができ、消毒液等を掌等の上に供給できる液体供給装置を提供する。【解決手段】床面に設置できる垂直に立った筒体２の上端部に蓋体３を設け、液体を入れたボトル上部の口部に取り付けたポンプ１０を押圧することにより液体を吐出するディスペンサー８を収納可能な液体供給装置であり、筒体２の下部にペダル４を設け、ペダル４を踏むことにより、ディスペンサー８が上昇して、蓋体３下面によりポンプ１０を押圧するようにし、さらに、底部から最も高いペダル４の踏板部分６の上面までの距離が３０ｍｍ以下である。【選択図】図２
0003234431.tif 000002
【実用新案登録請求の範囲】
【請求項１】
ベースに対して垂直に立てた筒体の上端部に蓋体を設け、液体を入れたボトル上部の口部に取り付けたポンプを押圧することにより液体を吐出するディスペンサーを収納可能な液体供給装置であり、該筒体の下部にペダルを設け、該ペダルを踏むことにより、該ディスペンサーが上昇して、該蓋体の下面により該ポンプを押圧するようにし、さらに、ベースの底面から最も高い該ペダルの踏板部分の上面までの距離が３０ｍｍ以下である液体供給装置。
【請求項２】
筒体内部に上下移動可能な支持体を設け、該支持体の上端はディスペンサーを支持し、該支持体の下端は上下動アームの一端に接触して支持されており、ペダルの先端ではない他端は、上下動アームの他端に回動可能に接続され、上下動アームの他端が下方に回動すると、上下動アームの一端が上昇して、支持体を上昇させる構造を有する請求項１に記載の液体供給装置。
【請求項３】
蓋体には、蓋体を貫通する押下体を設け、上から押圧して該押下体を下方に移動させて、ディスペンサーのポンプを押圧する構造を備えた請求項１又は２に記載の液体供給装置。
【考案の詳細な説明】
【技術分野】
【０００１】
本考案は、足等によって操作できる液体を供給する装置に関するものである。
【背景技術】
【０００２】
店頭等に設置して、来客等の掌等に消毒液を噴霧するための消毒装置は特許文献１に記載されるように知られている。足でペダルを踏むと消毒装置内に設置したポンプ式消毒液ボトル全体が上昇して、消毒装置内のカバー部によって、ポンプが押されて消毒液が噴霧されるものである。
【先行技術文献】
【特許文献】
【０００３】
【特許文献１】特開２０１５−１００４５４号公報
【考案の概要】
【考案が解決しようとする課題】
【０００４】
特許文献１に記載のような消毒装置によれば、だれでも簡単に使用者がペダルを足で踏むだけで操作できる。しかし、このような装置は、特に足で踏みやすい構造を有している。そのため、ペダルが短く、かつ踏む前のペダルは床面から比較的高い段差を有するので、例えば車椅子に乗っている人が自分でペダルを踏むことは困難である。
車椅子の車輪をペダルが有する段差を超えて踏むには、細かい操作や、ペダルが有する段差を超えて、ペダルに乗り上げるために車輪の前進に強い勢いを必要とする。十分な勢いを持って車椅子の車輪がペダルを踏むことができたとしても、ちょうどペダル上に車輪を停止させないと、確実にペダルを踏むことができない。ペダルに乗り上げた車輪が勢い余って、ペダルを乗り越えてしまうことがあった。
そして本発明は、足はもちろん、車椅子の車輪でも確実にペダルを踏むことができ、消毒液等を掌等の上に供給できる液体供給装置を得ることを課題とする。
【課題を解決するための手段】
【０００５】
１．ベースに対して垂直に立てた筒体の上端部に蓋体を設け、液体を入れたボトル上部の口部に取り付けたポンプを押圧することにより液体を吐出するディスペンサーを収納可能な液体供給装置であり、該筒体の下部にペダルを設け、該ペダルを踏むことにより、該ディスペンサーが上昇して、該蓋体の下面により該ポンプを押圧するようにし、さらに、ベースの底面から最も高い該ペダルの踏板部分の上面までの距離が３０ｍｍ以下である液体供給装置。
２．筒体内部に上下移動可能な支持体を設け、該支持体の上端はディスペンサーを支持し、該支持体の下端は上下動アームの一端に接触して支持されており、ペダルの先端ではない他端は、上下動アームの他端に回動可能に接続され、上下動アームの他端が下方に回動すると、上下動アームの一端が上昇して、支持体を上昇させる構造を有する１に記載の液体供給装置。
３．蓋体には、蓋体を貫通する押下体を設け、上から押圧して該押下体を下方に移動させて、ディスペンサーのポンプを押圧する構造を備えた１又は２に記載の液体供給装置。
【考案の効果】
【０００６】
本考案の液体供給装置によると、足でペダルを踏むことにより、掌等に液体をつけることができる。さらに、足で踏むことが困難な、車椅子使用者がその車輪でペダルを踏むことによって、同様に掌等に液体をつけることができ、より多くの人が使用できる。また、手で押して、掌等に液体をつけることもできる。
【図面の簡単な説明】
【０００７】
【図１】本考案の液体供給装置の外観を示す図。
【図２】本考案の液体供給装置の断面を示す図。
【図３】本考案の液体供給装置のペダルを示す図。
【図４】本考案の液体供給装置のペダルの断面を示す図。
【図５】本考案の液体供給装置のペダルの断面を示す図。
【図６】本考案の液体供給装置の蓋体の断面及び上面を示す図。
【考案を実施するための形態】
【０００８】
本考案の液体供給装置について以下に説明する。
図１は本考案の液体供給装置１の外観を示す図であり、筒体２は床面に垂直に接地できるようにベース１２に固定される。ベース１２により本考案の液体供給装置１は床面に起立できる。筒体２の上端部に蓋体３を設けて、通常は蓋体３は閉じている。蓋体３を開けて、液体を入れたディスペンサーを筒体２内に収納し、使用中は蓋体３を閉じる。液体を供給し終えたディスペンサーを取り出す際には蓋体３を開けることができる。ここで使用されるディスペンサーは、シャンプーやアルコール消毒液等を吐出するために広く市販された構造の、液体を入れたボトル上部の口部に取り付けたポンプを押圧することにより液体を吐出するディスペンサーで良い。つまり、樹脂等で形成されたボトルの上部口部に、ノズルが一体化された手動ポンプが取り付けられており、上から手等で押圧することによって、手動ポンプの動きによって、ボトル内の液体が吸い出されてノズルから吐出する構造のものを採用できる。そのノズルとして、液体を液状のままで吐出するものでも良く、細かい液滴として噴霧するものでもよい。
【０００９】
筒体２の下部にはペダル４が設けられている。このペダルを足や車椅子の車輪で踏んで下方に下げると、該ディスペンサーが上昇して、該蓋体３の下面（蓋体３に付属する押下体等の押圧部材を含む）でディスペンサーのポンプを押圧することになる。その結果、ディスペンサー内部の液体がノズル５を通じて吐出される。
本考案では、ペダル４の位置が公知の装置よりも低い位置にあるため、ペダル４を足で下げることはもちろん、車椅子の車輪によって下げることもできる。つまり、ベースの底面（設置箇所の床面）からペダル４の踏板部分６の上面までの距離は３０ｍｍ以下であるため、例えば車椅子に乗った人が、その前輪を踏板部分６の上面に乗せる際に必要な力をより少なくすることができる。この距離としては２５ｍｍ以下が好ましく、２０ｍｍ以下がより好ましく、１５ｍｍ以下が更に好ましい。この距離が短いほど、車椅子の車輪を踏板部分６の上面に乗せることが容易になる。
【００１０】
図２は本考案の液体供給装置１の断面を示す図であり、筒体２の内部には支持体７が上下移動可能に設けられている。支持体７の上端はディスペンサー８の底部を支持している。支持体７の下端は、上下動アーム９の一端に接触して支持されている。そして上下動アーム９が回動して、その一端が上昇すると、支持体７の全体も上昇する。その結果として、ディスペンサー８の全体も上方に移動することになる。そして、ディスペンサー８の上部に設けられたポンプ１０の上端が蓋体３（蓋体３に付属する押下体等の押圧部材を含む）の下面によって押圧される。そのように押圧されることによって、ディスペンサー内部の液体がノズル５を通じて吐出される。
なお、支持体７は支持体７自体の長さを調整する調整機構１１を有する。支持体７の上端の上に載置するディスペンサー８の高さに応じて、支持体７の長さを調整する。調整機構１１の具体的機構としては、筒状体の長さを任意に調整する公知の手段を採用できる。
【００１１】
上下動アーム９は、その他端がペダル４に回動可能に接続されており、上下動アーム９の上記の一端９ｂと他端９ａの間の点において、上下動アーム９が筒体２に対して回動可能に支持されている。このため、ペダル４の踏板部分６を足や車椅子の車輪等で踏むことにより、上下動アーム９の他端９ａが下方に回動し、一端９ｂが上方に回動する。その結果としてその一端が支持体７を上方に移動させる。そして踏んでいた足を外したり、車椅子の車輪が通過したときには、支持体７等の重みで上下動アーム９とペダル４が元の状態に戻ることになる。なお、上下動アーム９の他端９ａといっても、図２に示すように上下動アーム９の先端でなくても良く、上下動アームを回動させることができる位置であれば良い。
【００１２】
図３は液体供給装置１のペダル４を示す図であり、ペダル４を液体供給装置１の正面の斜め上方から見た図である。筒体２の下端がベース１２に固定されており、このベース１２により支えられることで、液体供給装置１を起立させることができる。
筒体２の下端付近から上下動アーム９が手前方向に延びており、上下動アーム９の他端９ａの点において、ペダル４と回動可能に接続される。
ペダル４は図３で示すような略長方形でも良く、楕円形、不定形等の任意の形状にすることができる。ペダル４は踏板部分６を有しており、この踏板部分６を、足や車椅子の車輪等で踏んで液体を吐出させるものである。車椅子の車輪で踏む場合には、図３において、主に踏板部分６の上を車輪が右から左へ、又は左から右に移動する。
ペダル４全体の中で、踏板部分６とそうではない部分とは区別されており、その境界は折曲部４ａで示される。
図３でみたペダル４の形状は、その他の形状でもよく、ペダルの先端に行くに従い幅広になったり、テーパー状になったりしてもよい。特に幅広になると、車椅子の車輪を乗せる部分の面積が広くなるので、より使用しやすくなる。
【００１３】
図４は本考案の液体供給装置１のペダルの断面を示す図であり、図２の液体供給装置１の下部を拡大した図である。
図４は踏板部分６を踏んでいない状態を示す図であり、上下動アーム９の一端９ｂは下方に下がった状態であり、よって支持体７も下方に下がった状態である。この結果、図示しないがディスペンサーのポンプは押圧されていない。
上下動アーム９の他端９ａとペダル４は互いに回動可能に接続されており、具体的には、例えば、他端９ａに、上下動アーム９に固定されて一体化した軸１３に対して、ペダル４が回動可能に取り付けられる。
さらに、上下動アーム９自体も回動できるように、筒体２に対して軸１４で接続されている。
図４でみたペダル４の形状は、折曲部４ａで折り曲げられた角度がより大きくても良く、小さくても良い。また踏板部分６は図４で示すように２層からなっていても良く、１層や３層以上であっても良い。さらに、踏板部分６は平面でも良いが、例えば図５のように、最も下になるまで踏んだ状態で、ベース１２と干渉せず、かつ液体供給装置１を設置した床に当たり傷つけないことが必要である。そして踏板部分６は図４で示す平面形状でも良く、又は鞍状に湾曲させたり、踏板部分６の両側にそれぞれ下方に傾斜する斜面を設けたりしても良い。このような形状にすることにより、車椅子の車輪が踏板部分６に乗る際に、床と踏板部分６の両側との間の段差をなるべく解消することができ、踏板部分６の上に車椅子の車輪を乗せやすくなる。
【００１４】
ペダル４は折曲部４ａを有しており、ペダル４の中でも、この折曲部より筒体２から離間する方向に踏板部分６が形成される。折曲部を設けたために、液体供給装置１が接地された箇所の床面、つまり、液体供給装置１の底部から最も高い踏板部分６（折曲部４ａとほぼ同じ箇所）の高さをより低くできる。そうすると、車椅子の車輪（前輪又は後輪）が踏板部分６の上に乗り上げる際の段差をより小さくすることができる。その結果として、車椅子を弱い力で進めてきた場合でも踏板部分６の上にその車輪を乗せやすくなる。  
ベース１２の底面（設置箇所の床面）からペダル４の踏板部分６の最も高い箇所の上面（ペダル４の上面における折曲部４ａでもある）までの距離Lは、３０ｍｍ以下の高さ（距離）であり、好ましくは２５ｍｍ以下であり、より好ましくは２０ｍｍ以下である。
【００１５】
図５は踏板部分６を踏んだ状態を示す図であり、上下動アーム９の一端９ｂは上方に上がった状態であり、よって支持体７も上方に上がった状態である。この結果、図示しないがディスペンサーのポンプは押圧されている。
踏板部分６を踏むことにより、ペダル４全体が押し下げられて、上下動アーム９を軸１４を中心に矢印方向に回動させる。その結果として上下動アームの一端９ｂが上方に回動するので、支持体７を上方に上げられる。その結果としてディスペンサーのポンプは押圧される。
このように踏板部分６を踏んだ状態において、ペダル４はベース１２に当接しないことが好ましい。
さらに上下動アーム９の形状、特に一端９ｂ及び他端９ａの形状が、図示された形状であると、踏板部分６を踏んだときに、他端９ａのより先端側にかけて、側面からみて片側がテーパー状であるため、踏板部分６を十分な深さに下げることができる。また、一端９ｂがその上部で支持体７の下端と接することにより、上下動アームが回動する角度が比較的小さくても、一端９ｂの位置が上昇する高さがより高くなるので、ディスペンサーのポンプをより確実に押圧できる。
【００１６】
第６図（ａ）に示す断面図及び第６図（ｂ）に示す上面図に示すように、筒体２の最上部に設けられる蓋体３と、蓋体３に設けられて手でボタン１５を下方に押すことにより、その下の蓋体を貫通する押下体１６を矢印の方向に押すことができる。その押下体１６がその下の筒体２内に収納された、図示しないディスペンサーのポンプを押圧して、ディスペンサー内の液体をノズルから吐出させることができる。この蓋体３は図１における蓋体３の位置に設けられる。
このような蓋体３とボタン１５や押下体１６を押圧する機構を、筒端２の最上部に設けることにより、本考案の液体供給装置は、ペダル４を踏んで液体を吐出できるのみではなく、筒体２の最上部に設けた上記の機構によっても、液体を吐出させることができる。
【符号の説明】
【００１７】
１・・・液体供給装置
２・・・筒体
３・・・蓋体
４・・・ペダル
５・・・ノズル
６・・・踏板部分
７・・・支持体
８・・・ディスペンサー
９・・・上下動アーム
１０・・ポンプ
１１・・調整機構
１２・・ベース
１３・・軸
１４・・軸
１５・・ボタン
１６・・押下体
【図１】
0003234431.tif 000003
【図２】
0003234431.tif 000004
【図３】
0003234431.tif 000005
【図４】
0003234431.tif 000006
【図５】
0003234431.tif 000007
【図６】
0003234431.tif 000008